(57)【要約】【課題】防振機能を備え、操作性に優れた簡易な構造のカメラを提供する。【解決手段】デジタルカメラ１０には、像ぶれ補正のためのぶれ検出回路、防振駆動回路が設けられている。防振スイッチ１４の操作により、防振駆動回路等による像ぶれ補正が指示されると、補正指示がなされていないときとは異なり、防振動作に適した機能をズームスイッチ１７、画像再生スイッチ１８、４方向スイッチ１９に割り当てる。この結果、像ぶれ補正が指示されると、ズームスイッチ１７の操作により、デジタルズーム処理で拡大された被写体像がモニタ２２上に表示可能となる。また、防振動作を実行する防振モードと実行しない非防振モードとの切換、像ぶれ補正量の調整等が、画像再生スイッチ１８、４方向スイッチ１９の操作により可能となる。【選択図】図１
2007240733.tif 000002
【特許請求の範囲】
【請求項１】
カメラのぶれを検出するぶれ検出手段と、
前記カメラのぶれを補正して、撮影される被写体像のぶれを防止する防振手段と、
前記防振手段を作動させるように指示する防振指示手段と、
所定の動作を実行させるための操作部材と、
前記操作部材の機能の割り当てを制御する制御手段とを備え、
前記制御手段が、前記防振手段の作動が指示されると、前記操作部材の機能を前記被写体像のぶれの防止に関連した動作のために割り当てることを特徴とするカメラ。
【請求項２】
撮影された被写体像を補間処理により拡大するデジタルズーム手段をさらに有し、前記制御手段が、前記防振手段の作動が指示されると、前記操作部材である第１の操作部材の機能を、前記デジタルズーム手段を作動させるために割り当てることを特徴とする請求項１に記載のカメラ。
【請求項３】
ズームレンズである撮影レンズをさらに有し、前記第１の操作部材が、前記撮影レンズのズーム位置を調整するためのズームスイッチであることを特徴とする請求項２に記載のカメラ。
【請求項４】
前記制御手段が、前記防振手段の作動が指示されると、前記操作部材である第２の操作部材の機能を、前記防振手段を作動させる防振モードと前記指示にも関わらず前記防振手段を作動させない非防振モードとを切換えるために割り当てることを特徴とする請求項１に記載のカメラ。
【請求項５】
撮影された前記被写体像を再生する画像再生手段をさらに有し、前記第２の操作部材が、前記画像再生手段に前記被写体像を再生させるための画像再生スイッチであることを特徴とする請求項４に記載のカメラ。
【請求項６】
前記制御手段が、前記防振手段の作動が指示されると、前記操作部材である第３の操作部材の機能を、前記防振手段による前記ぶれの補正量と、補正の対象となる前記ぶれの周波数域との少なくともいずれか一方を調整するために割り当てることを特徴とする請求項１に記載のカメラ。  
【請求項７】
被写体像を撮影するための撮影モードを設定する撮影モード設定手段をさらに有し、前記第３の操作部材が、前記撮影モードを設定するためのモード設定スイッチであることを特徴とする請求項６に記載のカメラ。
【請求項８】
前記第３の操作部材が、前記ぶれの補正量を調整するための第１の調整部材と、前記ぶれの周波数域を調整するための第２の調整部材とを含み、前記第１および第２の調整部材がそれぞれ一対づつ設けられていることを特徴とする請求項６に記載のカメラ。  
【発明の詳細な説明】
【技術分野】
【０００１】
本発明は、防振機能を備えたカメラに関し、特に、防振機能を制御可能なカメラに関する。
【背景技術】
【０００２】
撮影時の手ぶれ等により、生成された被写体像がぶれることを防止するため、防振機能を備えたカメラが普及している。例えば、デジタルカメラにおいては、撮像素子、もしくは撮影レンズを駆動させること等により、防振機能が実現されている。          
【０００３】
また、デジタルカメラ等の撮影装置においては、ユーザの指示に応じた所定の動作を実行させるために様々な操作ボタン、スイッチ等が設けられている。    
【発明の開示】
【発明が解決しようとする課題】
【０００４】
像ぶれ補正は、被写体撮影等のために必要となり、例えば既に撮影された画像を再生するとき等においては不要である。このように、常に必要とはならない防振機能を作動させるためだけの操作ボタン、スイッチ等を設ける場合、煩雑なボタン操作が必要となり、操作性が低下してしまうとともに、撮影装置の構造を複雑化する。
【０００５】
本発明は、防振機能を備え、操作性に優れた簡易な構造のカメラを提供することを目的とする。
【課題を解決するための手段】
【０００６】
本発明のカメラは、カメラのぶれを検出するぶれ検出手段と、カメラのぶれを補正して、撮影される被写体像のぶれを防止する防振手段と、防振手段を作動させるように指示する防振指示手段と、所定の動作を実行させるための操作部材と、操作部材の機能の割り当てを制御する制御手段とを備え、制御手段が、防振手段の作動が指示されると、操作部材の機能を被写体像のぶれの防止に関連した動作のために割り当てることを特徴とする。
【０００７】
カメラは、撮影された被写体像を補間処理により拡大するデジタルズーム手段をさらに有し、制御手段が、防振手段の作動が指示されると、操作部材である第１の操作部材の機能を、デジタルズーム手段を作動させるために割り当てることが好ましい。また、例えば、カメラはズームレンズである撮影レンズをさらに有し、第１の操作部材は、撮影レンズのズーム位置を調整するためのズームスイッチである。
【０００８】
制御手段が、防振手段の作動が指示されると、操作部材である第２の操作部材の機能を、防振手段を作動させる防振モードと指示にも関わらず防振手段を作動させない非防振モードとを切換えるために割り当てることが好ましい。また、例えば、カメラは撮影された被写体像を再生する画像再生手段をさらに有し、第２の操作部材は、画像再生手段に被写体像を再生させるための画像再生スイッチである。
【０００９】
制御手段が、防振手段の作動が指示されると、操作部材である第３の操作部材の機能を、防振手段によるぶれの補正量と、補正の対象となるぶれの周波数域との少なくともいずれか一方を調整するために割り当てることが好ましい。また、例えば、カメラは被写体像を撮影するための撮影モードを設定する撮影モード設定手段をさらに有し、第３の操作部材は、撮影モードを設定するためのモード設定スイッチである。
【００１０】
第３の操作部材は、ぶれの補正量を調整するための第１の調整部材と、ぶれの周波数域を調整するための第２の調整部材とを含み、第１および第２の調整部材がそれぞれ一対づつ設けられていることが好ましい。  
【発明の効果】
【００１１】
本発明によれば、防振機能を備え、操作性に優れた簡易な構造のカメラを実現できる。
【発明を実施するための最良の形態】
【００１２】
以下、本発明の実施形態を、図面を参照して説明する。図１は、デジタルカメラ１０の背面図である。
【００１３】
デジタルカメラ１０の上面１０Ｕには、レリーズボタン１３、像ぶれ補正のための防振スイッチ１４等が設けられている。また、デジタルカメラ１０の背面１０Ｒには、ズームスイッチ（第１の操作部材）１７、画像再生スイッチ（第２の操作部材）１８、４方向スイッチ（第３の操作部材）１９等が設けられている。４方向スイッチ１９には、いずれも一対の上下方向スイッチ（第１の調整部材）２１および左右方向スイッチ（第２の調整部材）２３が含まれる。
【００１４】
さらに、デジタルカメラ背面１０Ｒにはモニタ２２が設けられている。モニタ２２上には、スルー画像としての被写体像、もしくは再生された被写体像が表示される。再生画像は、画像再生スイッチ１８の押下により表示される。
【００１５】
スルー画像がモニタ２２上に表示されているときにズームスイッチ１７の左あるいは右の領域が押下されると、望遠スイッチ、広角スイッチがそれぞれオン状態になる。望遠スイッチがオン状態になると、例えば人物の顔等、被写体の一部が拡大された被写体像が表示される。また、デジタルカメラ１０には、光学ズーム機能のみならずデジタルズーム機能が備えられており、後述するように、デジタルズーム機能によっても拡大された被写体像が表示される。
【００１６】
図２は、デジタルカメラ１０のブロック図である。
【００１７】
デジタルカメラ１０には、全体を制御する制御部１２が設けられている。制御部１２には、防振スイッチ１４、測光スイッチ（ＳＷＳ）１５、レリーズスイッチ（ＳＷＲ）１６、ズームスイッチ１７、画像再生スイッチ１８、４方向スイッチ１９が接続されている。これらのスイッチのユーザによる操作に応じた所定の信号が、制御部１２に送信される。なお、測光スイッチ１５およびレリーズスイッチ１６は、レリーズボタン１３の操作によりオン状態になる。
【００１８】
デジタルカメラ１０においては、メニューボタン（図示せず）および４方向スイッチ１９等の操作により、被写体を撮影して静止画像を生成するための撮影モード等の様々なモードが設定される。撮影モードにおいては、静止画像の生成に先立って、以下のように被写体像がスルー画像としてモニタ２２上に表示される。
【００１９】
まず、ＣＣＤ２４が、ズームレンズである撮影レンズ３０を介して被写体からの反射光を受光する。この結果、ＣＣＤ２４において画像に対応した電荷が発生する。そして、ＣＣＤ２４から読み出された電荷信号、すなわち画像信号が、信号処理回路２６に送信される。信号処理回路２６では、画像信号のノイズの低減、デジタル化などの所定の処理が施される。これらの処理が施された画像信号は、画像信号処理回路２８に送られる。
【００２０】
画像信号処理回路２８において、デジタル画像信号には、ホワイトバランス調整、ガンマ補正などの様々な信号処理が施され、輝度信号、及び色差信号が生成される。生成された輝度信号、及び色差信号、すなわち画像データは、モニタ２２に送信される。この結果、被写体画像がスルー画像としてモニタ２２上に表示される。なお、画像信号処理回路２８では、制御部１２の制御の下で、撮影された被写体像を示す画像データに補完処理を施し、被写体像を拡大するデジタルズーム処理が施される。
【００２１】
レリーズボタン１３が半押しされると、制御部１２に接続された測光スイッチ１５がオン状態となる。測光スイッチ１５がオン状態になると、測距処理部（図示せず）による測距動作、測光処理部（図示せず）による被写体の測光が行われる。得られた測距データ及び輝度データは、制御部１２に送信される。制御部１２は、測距データに基づき合焦動作を制御し、輝度データに基づき露出値を算出する。
【００２２】
レリーズボタン１３が全押しされると、レリーズスイッチ１６がオン状態になる。そして、算出された露出値に基づいて、シャッタ（図示せず）のシャッタ速度と絞り値とが、制御部１２によりそれぞれ所定の値に設定される。この結果、所定量だけ絞り（図示せず）が開き、シャッタが所定の開度で所定時間だけ開放され、ＣＣＤ２４が露光される。そしてＣＣＤ２４から読み出される画像信号に基づき静止画像が生成される。静止画像は、モニタ２２上に表示され、静止画像の画像データは、メモリカード３２等に記録される。
【００２３】
ズームスイッチ１７が操作されると、望遠、もしくは広角撮影のための信号が制御部１２に送信される。制御部１２は、受信した信号に応じて、撮影レンズ３０の焦点距離を調整するように指示する信号をズーム駆動回路３４に送信する。この結果、撮影レンズ３０は、ズームスイッチ１７の操作に応じた所定の焦点距離となるズーム位置まで移動される。
【００２４】
また、デジタルカメラ１０には、デジタルカメラ１０のぶれを検出するぶれ検出回路３６（ぶれ検出手段）が設けられている。ぶれ検出回路３６には、第１および第２角加速度センサ４１、４２、アンプ・フィルタ回路４４が含まれる。第１および第２角加速度センサ４１、４２により、Ｘ方向およびＹ方向についてのデジタルカメラ１０のぶれが検出される。
【００２５】
検出されたＸ方向、Ｙ方向それぞれのぶれ量を示す信号は、アンプ・フィルタ回路４４に送信される。ぶれ量を示す信号には、アンプ・フィルタ回路４４において所定の処理が施され、その結果、Ｘ方向ぶれのぶれ量を示すＸ方向ぶれ信号Ｖｘと、Ｙ方向ぶれのぶれ量を示すＹ方向ぶれ信号Ｖｙとが制御部１２に送信される。
【００２６】
制御部１２は、ぶれ検出回路３６からの出力信号Ｖｘ、Ｖｙに基づいて、ＣＣＤ２４を防振制御するための指示信号を防振駆動回路３８（防振手段）に送信する。そしてＣＣＤ２４は、デジタルカメラのぶれを補正し、生成される被写体像のぶれが生じないように、防振駆動回路３８によってわずかに駆動、すなわち所定の方向に所定量だけ移動される。この結果、デジタルカメラのぶれはＣＣＤ２４の移動によって相殺され、被写体がぶれていない画像が生成される。
【００２７】
アンプ・フィルタ回路４４は、第１、第２角加速度センサ４１、４２から受信した信号を増幅するとともに、これらの信号が示すデジタルカメラ１０のぶれのうち、所定の周波数域にあるぶれのみを示す出力信号Ｖｘ、Ｖｙを制御部１２に送信する。このとき、後述するように、防振駆動回路３８によるぶれ補正の対象となる周波数域を調整することができる。
【００２８】
さらに、防振駆動回路３８による補正量を調整することも可能である。すなわち、第１、第２角加速度センサ４１、４２により検出されたデジタルカメラ１０のぶれ量を全て相殺して像ぶれ補正することが可能であるとともに、後述するように、検出されたぶれ量のうち所定の大きさだけ像ぶれ補正するように、補正量の上限を設定することができる。
【００２９】
このように、Ｘ方向、Ｙ方向のそれぞれについて、ぶれ補正の対象となる周波数域および補正量が調整できることから、ユーザにより異なるデジタルカメラ１０のぶれ量、スピード感のある被写体像を得るためにあえて像ぶれを残したいといったユーザのニーズ等に応じて、適切な像ぶれ補正が可能となる。
【００３０】
なお、ぶれ検出回路３６および防振駆動回路３８によるぶれ補正は、原則として、防振スイッチ１４がオン状態になり、防振駆動回路３８等を作動させるように指示する信号が制御部１２に送信されると実行される。
【００３１】
この指示信号が制御部１２により受信されると、被写体像の撮影等に用いられるズームスイッチ１７、画像再生スイッチ１８、４方向スイッチ１９の機能が、制御部１２により像ぶれ防止に関連した動作のために割り当てられる。すなわち、上述のスイッチの操作によるデジタルカメラ１０の動作は、防振スイッチ１４がオン状態であるかオフ状態にあるかによって異なる。
【００３２】
図３は、像ぶれ補正をしない通常時と、像ぶれ補正が指示された防振時とで異なるスイッチ機能を示す対照表である。
【００３３】
ズームスイッチ１７は、通常時においては、光学ズーム、すなわち撮影レンズ３０のズーム位置を調整するために用いられるが、防振駆動回路３８等による像ぶれ補正が指示された防振時においては、画像信号処理回路２８でのデジタルズーム処理による被写体像の拡大、縮小に用いられる。すなわち、防振スイッチ１４がオン状態になると、制御部１２の制御の下で、ズームスイッチ１７には通常時とは異なる機能が割り当てられる。そして、防振スイッチ１４が再びオフ状態になると、ズームスイッチ１７には通常時の機能が割り当てられる。
【００３４】
画像再生スイッチ１８は、通常時においては、メモリカード３２等に記憶された被写体像を再生する再生モードの設定のために用いられるが、防振時においては、防振モードの切換に使用される。すなわち、画像再生スイッチ１８は、防振スイッチ１４による像ぶれ補正指示にも関わらず防振駆動回路３８等を作動させない非防振モードと、像ぶれ補正を行なう防振モードとのモード切換のために使用される。なお、画像再生スイッチ１８によるモード切換えのため、モニタ２２上にはメニューボタンの押下によりメニュー画面が表示され、その時点でいずれのモードが選択、設定されているかが示される。
【００３５】
４方向スイッチ１９は、通常時においては、撮影モードの設定、タイマ設定、ストロボ作動指示等に使用されるが、防振時においては、防振特性の変更に使用される。すなわち、防振スイッチ１４がオン状態であるとき、メニュー画面における上下方向スイッチ２１の操作により、検出されたデジタルカメラ１０のぶれ量をどれだけ相殺させ、像ぶれ補正するかが調整可能であり、また、左右方向スイッチ２３の操作により、像ぶれ補正の対象となる周波数域も調整できる。
【００３６】
図４は、ぶれ補正制御ルーチンを示すフローチャートである。図５は、ぶれ補正制御ルーチンの一部であるスイッチ制御ルーチンを示すフローチャートである。
【００３７】
ぶれ補正制御ルーチンは、デジタルカメラ１０のメインスイッチがオン状態になると開始する。ステップＳ１１においては、デジタルカメラ１０が初期化され、ステップＳ１２に進む。ステップＳ１２では、被写体像がスルー画像として表示され、ステップＳ１３に進む。ステップＳ１３では、防振スイッチ１４がオン状態であるか否かが判断され、オン状態であると判断されるとステップＳ１４に進み、オフ状態であると判断されるとステップＳ１５に進む。
【００３８】
ステップＳ１４では、防振指示の有無を示すフラグ「Ｆ＿ＩＳ」が「１」に設定され、ステップＳ１６に進む。ステップＳ１６においては、防振駆動回路３８等がオン状態になり、防振動作が実行されてステップＳ１７に進む。
【００３９】
一方、ステップＳ１５においては、フラグ「Ｆ＿ＩＳ」が「０」に設定され、ステップＳ１８に進む。ステップＳ１８においては、防振駆動回路３８等がオフ状態になり、防振動作が実行されず、ステップＳ１７に進む。ステップＳ１７では、スイッチ制御ルーチン（図５参照）が開始される。
【００４０】
スイッチ制御ルーチンでは、まず、ステップＳ１８においてフラグ「Ｆ＿ＩＳ」が「１」であるか否かが判断される。「Ｆ＿ＩＳ」＝「１」であると判断されると、ステップＳ１９に進み、「Ｆ＿ＩＳ」＝「０」であると判断されると、ステップＳ２０に進む。
【００４１】
ステップＳ１９においては、ズームスイッチ１７が操作されたか否かが判断され、操作されたと判断されるとステップＳ２１に進み、操作されなかったと判断されるとステップＳ２２に進む。ステップＳ２１では、ズームスイッチ１７の操作に応じてデジタルズーム処理、すなわちモニタ２２に表示される被写体像の拡大、縮小処理が施され、ステップＳ２２に進む。
【００４２】
ステップＳ２２においては、画像再生スイッチ１８が操作されたか否かが判断され、操作されたと判断されるとステップＳ２３に進み、操作されなかったと判断されるとステップＳ２４に進む。ステップＳ２３では、画像再生スイッチ１８の操作に応じて防振モードと非防振モードとが切換えられ、ステップＳ２４に進む。
【００４３】
ステップＳ２４においては、４方向スイッチ１９が操作されたか否かが判断され、操作されたと判断されるとステップＳ２５に進み、操作されなかったと判断されるとステップＳ２６（図４参照）に進む。ステップＳ２５では、上下方向スイッチ２１、左右方向スイッチ２３の操作に応じて、防振特性、すなわち像ぶれ補正量、像ぶれ補正される周波数域が変更され、ステップＳ２６に進む。
【００４４】
一方、ステップＳ２０においては、ステップＳ１９と同様にズームスイッチ１７が操作されたか否かが判断され、操作されたと判断されるとステップＳ２７に進み、操作されなかったと判断されるとステップＳ２８に進む。ステップＳ２７では、ズームスイッチ１７の操作に応じて光学ズーム処理、すなわちモニタ２２上のスルー画像の拡大、縮小処理が施され、ステップＳ２８に進む。
【００４５】
ステップＳ２８においては、画像再生スイッチ１８が操作されたか否かが判断され、操作されたと判断されるとステップＳ２９に進み、操作されなかったと判断されるとステップＳ３０に進む。ステップＳ２９では、画像再生スイッチ１８の操作により再生モードが設定され、被写体像の表示、コマ送り等の動作がユーザによるボタン操作に応じて実行される。そしてその後、撮影モードが設定されるとステップＳ１１（図４参照）に戻る。
【００４６】
ステップＳ３０においては、４方向スイッチ１９が操作されたか否かが判断され、操作されたと判断されるとステップＳ３１に進み、操作されなかったと判断されるとステップＳ２６（図４参照）に進む。ステップＳ３１では、４方向スイッチ１９の操作に応じて、撮影モードの設定、タイマ設定等の処理が施され、ステップＳ２６に進む。
【００４７】
ステップＳ２６では、測光スイッチ１５がオン状態であるか否かが判断される。そして測光スイッチ１５がオン状態であると判断されるとステップＳ３２に進み、測光スイッチ１５がオンでないと判断されるとステップＳ１３に戻る。ステップＳ３２では、合焦制御および露出制御が実行され、ステップＳ３３に進む。
【００４８】
ステップＳ３３においては、測光スイッチ１５がオン状態であるか否かが再度判断され、測光スイッチ１５がオン状態であると判断されるとステップＳ３４に進み、測光スイッチ１５がオフ状態であると判断されるとステップＳ１３に戻る。ステップＳ３４では、レリーズスイッチ１６がオン状態であるか否かが判断され、レリーズスイッチ１６がオン状態であると判断されるとステップＳ３５に進み、レリーズスイッチ１６がオフ状態であると判断されるとステップＳ３３に戻る。
【００４９】
ステップＳ３５においては、被写体が撮影され、生成された静止画像がメモリカード３２等に記録され、ステップＳ３６に進む。ステップＳ３６では、デジタルカメラ１０の電源がオフ状態になったか否かが判断される。デジタルカメラ１０の電源がオン状態のままであると判断されるとステップＳ１３に戻り、電源がオフ状態になったと判断されると、ぶれ補正制御ルーチンは終了する。
【００５０】
以上のように本実施形態のデジタルカメラ１０においては、防振動作を実行するか否かに応じて適切な機能が各スイッチに割り当てられるため、操作性に優れている。例えば、防振動作を実行するときに、ズームスイッチ１７の操作に基づくデジタルズーム処理により、拡大された被写体像が表示され、像ぶれ補正の効果を容易に確認でき、画像再生スイッチ１８の操作により、像ぶれ補正前後の被写体像を容易に比較することが可能であり、また、像ぶれ補正量、像ぶれ補正の対象となる周波数域も調整できる。
【００５１】
さらに、防振動作を実行しない通常時においても使用されるスイッチ等を、像ぶれ補正に関する操作に兼用することから、多くの機能を有するデジタルカメラ１０の構造を簡素化することができる。
【００５２】
本実施形態においては、デジタルカメラ１０が例示されているが、防振機構であるぶれ検出回路３６および防振駆動回路３８と各スイッチを備えたカメラであればこれには限定されない。例えば、ビデオカメラ、撮影機能付き携帯電話等であっても良い。
【００５３】
各スイッチに割り当てられる機能は、本実施形態には限定されない。例えば、上下方向スイッチ２１で像ぶれ補正対象となる周波数域を調整し、左右方向スイッチ２３により像ぶれ補正量を調整しても良い。また、例えば、像ぶれ補正の範囲について、上限と下限の周波数域のいずれか一方のみを設定しても良く、補正量については、上限と下限をいずれも設けても良い。
【００５４】
上下方向スイッチ２１および左右方向スイッチ２３は、像ぶれ補正量、像ぶれ補正される周波数域の上限値、下限値をそれぞれ上下させる調整を容易にするため、一対ずつ設けられていることが好ましいが、これには限定されない。
【００５５】
防振時においては、撮影レンズ３０のズーム位置を調整することなしに速やかに像ぶれ補正後の被写体像を表示すべく、デジタルズーム機能をズームスイッチ１７に割り当てることが好ましいが、像ぶれ補正されない通常時においては、光学ズームとデジタルズームの両方の機能をズームスイッチ１７に割り当てても良い。
【００５６】
また、本実施形態においては、防振駆動回路３８等の防振機構が、ＣＣＤ２４を駆動することによりぶれを補正しているが、ぶれ補正の方法はこれに限定されず、例えば、撮影レンズ３０の駆動、あるいはＣＣＤ２４にて生成された画像信号の処理により補正しても良い。
【図面の簡単な説明】
【００５７】
【図１】本実施形態におけるデジタルカメラの背面図である。
【図２】本実施形態におけるデジタルカメラのブロック図である。
【図３】通常時と防振時とで異なるスイッチ機能を示す対照表である。
【図４】ぶれ補正制御ルーチンを示すフローチャートである。
【図５】スイッチ制御ルーチンを示すフローチャートである。
【符号の説明】
【００５８】
１２  制御部（制御手段）
１４  防振スイッチ（防振指示手段）
１７  ズームスイッチ（操作部材・第１の操作部材）
１８  画像再生スイッチ（操作部材・第２の操作部材）
１９  ４方向スイッチ（操作部材・第３の操作部材・モード設定スイッチ）
２１  上下方向スイッチ（第１の調整部材）
２２  モニタ（画像再生手段）
２３  左右方向スイッチ（第２の調整部材）
２８  画像信号処理回路（デジタルズーム手段）
３０  撮影レンズ（ズームレンズ）
３６  ぶれ検出回路（ぶれ検出手段）
３８  防振駆動回路（防振手段）
【図１】
2007240733.tif 000003
【図２】
2007240733.tif 000004
【図３】
2007240733.tif 000005
【図４】
2007240733.tif 000006
【図５】
2007240733.tif 000007